(57)【要約】  免許が不要な周波数帯域を利用する無線通信システムが有する基地局装置（１００）は、前記周波数帯域に属するキャリア内の互いに周波数が異なる部分帯域ごとに当該部分帯域が他の無線通信システムによって利用されているか否かを判断する判断部（１０８）と、前記判断部（１０８）によって他の無線通信システムによって利用されていないと判断された部分帯域にデータを割り当てるスケジューリング部（１０９）と、前記スケジューリング部（１０９）によってデータが割り当てられた部分帯域の信号を送信する送信部（１１４、１１７）とを有する。
2019193662.tif 000002
【特許請求の範囲】
【請求項１】
免許が不要な周波数帯域を利用する無線通信システムが有する基地局装置であって、
前記周波数帯域に属するキャリア内の互いに周波数が異なる部分帯域ごとに当該部分帯域が他の無線通信システムによって利用されているか否かを判断する判断部と、
前記判断部によって他の無線通信システムによって利用されていないと判断された部分帯域にデータを割り当てるスケジューリング部と、
前記スケジューリング部によってデータが割り当てられた部分帯域の信号を送信する送信部と
を有することを特徴とする基地局装置。
【請求項２】
前記スケジューリング部は、
前記判断部によって複数の部分帯域が他の無線通信システムによって利用されていないと判断された場合に、前記複数の部分帯域それぞれにデータを割り当てることを特徴とする請求項１記載の基地局装置。
【請求項３】
前記送信部は、
前記スケジューリング部によって前記複数の部分帯域それぞれにデータが割り当てられた場合、前記複数の部分帯域それぞれのデータの割り当てを示す制御情報をいずれか１つの部分帯域を利用して送信することを特徴とする請求項２記載の基地局装置。
【請求項４】
前記送信部は、
前記複数の部分帯域のうち前記判断部によって判断が実行される周期が最も短い部分帯域を利用して前記制御情報を送信することを特徴とする請求項３記載の基地局装置。
【請求項５】
前記スケジューリング部は、
無線通信に利用する１つの部分帯域を決定し、前記判断部によって前記１つの部分帯域が他の無線通信システムによって利用されていないと判断された場合に、前記１つの部分帯域にデータを割り当てることを特徴とする請求項１記載の基地局装置。
【請求項６】
前記スケジューリング部は、
無線通信に利用する部分帯域を前記１つの部分帯域から他の部分帯域へ切り替えることを決定し、切り替え後は前記他の部分帯域にデータを割り当てることを特徴とする請求項５記載の基地局装置。
【請求項７】
前記スケジューリング部は、
データの再送が要求された場合に無線通信に利用する部分帯域を切り替えると決定することを特徴とする請求項６記載の基地局装置。
【請求項８】
免許が不要な周波数帯域を利用する無線通信システムが有する端末装置であって、
前記周波数帯域に属するキャリア内の互いに周波数が異なる複数の部分帯域の信号を受信する受信部と、
前記受信部によって受信された複数の部分帯域の信号のうち１つの部分帯域の信号に含まれる制御情報であって、前記複数の部分帯域それぞれのデータの割り当てを示す制御情報を復号する制御情報復号部と、
前記制御情報復号部によって復号される制御情報に基づいて、前記受信部によって受信された複数の部分帯域の信号を復号する復号部と
を有することを特徴とする端末装置。
【請求項９】
前記制御情報復号部は、
前記１つの部分帯域の信号に含まれる制御情報の復号が失敗した場合に、他の１つの部分帯域の信号に含まれる制御情報を復号することを特徴とする請求項８記載の端末装置。
【請求項１０】
免許が不要な周波数帯域を利用して無線通信する基地局装置と端末装置とを有する無線通信システムであって、
前記基地局装置は、
前記周波数帯域に属するキャリア内の互いに周波数が異なる部分帯域ごとに当該部分帯域が他の無線通信システムによって利用されているか否かを判断する判断部と、
前記判断部によって他の無線通信システムによって利用されていないと判断された部分帯域にデータを割り当てるスケジューリング部と、
前記スケジューリング部によってデータが割り当てられた部分帯域の信号を送信する送信部とを有し、
前記端末装置は、
前記周波数帯域に属するキャリア内の互いに周波数が異なる部分帯域ごとの信号を受信する受信部と、
前記受信部によって受信された部分帯域ごとの信号に含まれる制御情報であって、部分帯域ごとのデータの割り当てを示す制御情報を復号する制御情報復号部と、
前記制御情報復号部によって復号される制御情報に基づいて、前記受信部によって受信された部分帯域ごとの信号を復号する復号部とを有する
ことを特徴とする無線通信システム。
【請求項１１】
免許が不要な周波数帯域を利用する無線通信システムにおいて実行される送信方法であって、
前記周波数帯域に属するキャリア内の互いに周波数が異なる部分帯域ごとに当該部分帯域が他の無線通信システムによって利用されているか否かを判断し、
他の無線通信システムによって利用されていないと判断された部分帯域にデータを割り当てるスケジューリングを実行し、
前記スケジューリングに従ってデータが割り当てられた部分帯域の信号を送信する
処理を有することを特徴とする送信方法。
【発明の詳細な説明】
【技術分野】
【０００１】
本発明は、基地局装置、端末装置、無線通信システム及び送信方法に関する。
【背景技術】
【０００２】
現在のネットワークは、モバイル端末（スマートフォンやフィーチャーホン）のトラフィックがネットワークのリソースの大半を占めている。また、モバイル端末が使うトラフィックは、今後も拡大していく傾向にある。【０００３】
一方で、ＩｏＴ（Internet  of  Things）サービス（例えば、交通システム、スマートメータ、装置等の監視システム）の展開に合わせて、多様な要求条件を持つサービスに対応することが求められている。そのため、第５世代移動体通信（５Ｇ又はＮＲ（New  Radio））の通信規格では、４Ｇ（第４世代移動体通信）の標準技術（例えば、非特許文献１〜１１）に加えて、さらなる高データレート化、大容量化、低遅延化を実現する技術が求められている。なお、第５世代通信規格については、３ＧＰＰの作業部会（例えば、ＴＳＧ−ＲＡＮ  ＷＧ１、ＴＳＧ−ＲＡＮ  ＷＧ２等）で技術検討が進められている（非特許文献１２〜３９）。【０００４】
上記で述べたように、多種多様なサービスに対応するために、５Ｇでは、ｅＭＢＢ（Enhanced  Mobile  BroadBand）、Ｍａｓｓｉｖｅ  ＭＴＣ（Machine  Type  Communications)、及びＵＲＬＬＣ（Ultra−Reliable  and  Low  Latency  Communication）に分類される多くのユースケースのサポートが想定されている。【０００５】
これらのユースケースで使用される５Ｇのキャリアは、例えばミリ波を含む高周波数帯のものとすることが検討されており、周波数帯域幅も例えば１００ＭＨｚ〜１ＧＨｚなどの広帯域のものとすることが検討されている。このような広帯域のキャリアを使用する場合には、１つのキャリアを複数の部分帯域（ＢＷＰ：Bandwidth  Part）に分割し、それぞれのＢＷＰを例えば端末装置に割り当てて無線通信することが考えられている。
【先行技術文献】
【特許文献】
【０００６】
【特許文献１】特開２０１７−０６３３２６号公報
【特許文献２】国際公開第２０１５／１７４４３７号
【非特許文献】
【０００７】
【非特許文献１】3GPP  TS  36.211  V15.0.0（2017-12）
【非特許文献２】3GPP  TS  36.212  V15.0.1（2018-01）
【非特許文献３】3GPP  TS  36.213  V15.0.0（2017-12）
【非特許文献４】3GPP  TS  36.300  V15.0.0（2017-12）
【非特許文献５】3GPP  TS  36.321  V15.0.0（2017-12）
【非特許文献６】3GPP  TS  36.322  V15.0.0（2017-12）
【非特許文献７】3GPP  TS  36.323  V14.5.0（2017-12）
【非特許文献８】3GPP  TS  36.331  V15.0.1（2018-01）
【非特許文献９】3GPP  TS  36.413  V15.0.0（2017-12）
【非特許文献１０】3GPP  TS  36.423  V15.0.0（2017-12）
【非特許文献１１】3GPP  TS  36.425  V14.0.0（2017-03）
【非特許文献１２】3GPP  TS  37.340  V15.0.0（2017-12）
【非特許文献１３】3GPP  TS  38.201  V15.0.0（2017-12）
【非特許文献１４】3GPP  TS  38.202  V15.0.0（2017-12）
【非特許文献１５】3GPP  TS  38.211  V15.0.0（2017-12）
【非特許文献１６】3GPP  TS  38.212  V15.0.0（2017-12）
【非特許文献１７】3GPP  TS  38.213  V15.0.0（2017-12）
【非特許文献１８】3GPP  TS  38.214  V15.0.0（2017-12）
【非特許文献１９】3GPP  TS  38.215  V15.0.0（2017-12）
【非特許文献２０】3GPP  TS  38.300  V15.0.0（2017-12）
【非特許文献２１】3GPP  TS  38.321  V15.0.0（2017-12）
【非特許文献２２】3GPP  TS  38.322  V15.0.0（2017-12）
【非特許文献２３】3GPP  TS  38.323  V15.0.0（2017-12）
【非特許文献２４】3GPP  TS  38.331  V15.0.0（2017-12）
【非特許文献２５】3GPP  TS  38.401  V15.0.0（2017-12）
【非特許文献２６】3GPP  TS  38.410  V0.6.0（2017-12）
【非特許文献２７】3GPP  TS  38.413  V0.5.0（2017-12）
【非特許文献２８】3GPP  TS  38.420  V0.5.0（2017-12）
【非特許文献２９】3GPP  TS  38.423  V0.5.0（2017-12）
【非特許文献３０】3GPP  TS  38.470  V15.0.0（2018-01）
【非特許文献３１】3GPP  TS  38.473  V15.0.0（2017-12）
【非特許文献３２】3GPP  TR  38.801  V14.0.0（2017-04）
【非特許文献３３】3GPP  TR  38.802  V14.2.0（2017-09）
【非特許文献３４】3GPP  TR  38.803  V14.2.0（2017-09）
【非特許文献３５】3GPP  TR  38.804  V14.0.0（2017-03）
【非特許文献３６】3GPP  TR  38.900  V14.3.1（2017-07）
【非特許文献３７】3GPP  TR  38.912  V14.1.0（2017-06）
【非特許文献３８】3GPP  TR  38.913  V14.3.0（2017-06）
【非特許文献３９】"New  SID  on  NR-based  Access  to  Unlicensed  Spectrum",  Qualcomm,  3GPP  TSG  RAN  Meeting  #75,  RP-170828,  March  6-9,  2017
【発明の概要】
【発明が解決しようとする課題】
【０００８】
ところで、一般に無線に使用される周波数帯には、免許が必要なライセンスバンド（licensed  band）と免許が不要なアンライセンスバンド（Unlicensed  band）とがある。４Ｇでは、例えばＬＡＡ（Licensed  Assisted  Access）として、ライセンスバンドを補助的に用いて、例えば５ＧＨｚ帯などの低周波数帯のアンライセンスバンドを無線通信に利用する機能が導入されている。５Ｇシステムにおいては、例えば６０ＧＨｚ帯などの高周波数帯のアンライセンスバンドを無線通信に利用することが検討課題とされている。【０００９】
しかしながら、高周波数帯のアンライセンスバンドを効率的に利用する方法については、未だ検討されていない。特に、アンライセンスバンドを使用する場合には、キャリアセンスなどのＬＢＴ（Listen  Before  Talk）方式が採用されることが考えられるが、広帯域のキャリアに対してＬＢＴ方式を採用すると、無線リソースの効率的な利用が困難であるという問題がある。【００１０】
具体的には、上述したように、５Ｇシステムでは１つのキャリアが複数のＢＷＰに分割されて使用されることがあるが、このキャリアに対してキャリアセンスする場合には、キャリアの一部分のみが他のシステムによって利用されていると、キャリア全体がビジーと判断される。結果として、すべてのＢＷＰが使用されず、５Ｇシステムでの通信の機会が失われる。一方で、キャリアセンスの結果キャリア全体がビジーと判断された場合にも、キャリアに含まれるＢＷＰを用いた通信を実行することも考えられるが、この場合には、いずれかのＢＷＰにおいて他のシステムからの干渉を受けるとともに、他のシステムに対して干渉を与えることになる。【００１１】
開示の技術は、かかる点に鑑みてなされたものであって、アンライセンスバンドの広帯域なキャリアを効率的に利用することができる基地局装置、端末装置、無線通信システム及び送信方法を提供することを目的とする。
【課題を解決するための手段】
【００１２】
本願が開示する基地局装置は、１つの態様において、免許が不要な周波数帯域を利用する無線通信システムが有する基地局装置であって、前記周波数帯域に属するキャリア内の互いに周波数が異なる部分帯域ごとに当該部分帯域が他の無線通信システムによって利用されているか否かを判断する判断部と、前記判断部によって他の無線通信システムによって利用されていないと判断された部分帯域にデータを割り当てるスケジューリング部と、前記スケジューリング部によってデータが割り当てられた部分帯域の信号を送信する送信部とを有する。
【発明の効果】
【００１３】
本願が開示する基地局装置、端末装置、無線通信システム及び送信方法の１つの態様によれば、アンライセンスバンドの広帯域なキャリアを効率的に利用することができるという効果を奏する。
【図面の簡単な説明】
【００１４】
【図１】図１は、実施の形態１に係る基地局装置の構成を示すブロック図である。
【図２】図２は、ＢＷＰの具体例を示す図である。
【図３】図３は、実施の形態１に係る送信方法を示すフロー図である。
【図４】図４は、ＢＷＰの利用状況の一例を示す図である。
【図５】図５は、ＢＷＰの利用状況の他の一例を示す図である。
【図６】図６は、ＢＷＰの利用状況のさらに他の一例を示す図である。
【図７】図７は、実施の形態１に係る端末装置の構成を示すブロック図である。
【図８】図８は、ＢＷＰの利用状況のさらに他の一例を示す図である。
【図９】図９は、実施の形態２に係る基地局装置の構成を示すブロック図である。
【図１０】図１０は、ＢＷＰの切り替えの一例を示す図である。
【図１１】図１１は、ＢＷＰの切り替えの他の一例を示す図である。
【発明を実施するための形態】
【００１５】
以下、本願が開示する基地局装置、端末装置、無線通信システム及び送信方法の実施の形態について、図面を参照して詳細に説明する。なお、この実施の形態により本発明が限定されるものではない。また、本明細書で使用される用語や記載される技術内容は、３ＧＰＰなどにおける通信に関する規格の仕様書や寄書に記載された用語や技術内容に適宜置き換えられても良い。このような仕様書としては、例えば上述した非特許文献１〜３８がある。
【００１６】
（実施の形態１）
図１は、実施の形態１に係る基地局装置１００の構成を示すブロック図である。図１に示す基地局装置１００は、ＢＷＰ１受信部１０１、ＣＰ（Cyclic  Prefix：サイクリックプレフィクス）除去部１０２、１０５、ＦＦＴ（Fast  Fourier  Transform：高速フーリエ変換）部１０３、１０６、ＢＷＰ２受信部１０４及び復号部１０７を有する。これらの処理部は、基地局装置１００の受信側の処理部である。また、基地局装置１００は、ＬＢＴ処理部１０８、ＢＷＰスケジューリング部１０９、制御チャネル生成部１１０、多重部１１１、ＩＦＦＴ（Inverse  Fast  Fourier  Transform：逆高速フーリエ変換）部１１２、１１５、ＣＰ付加部１１３、１１６、ＢＷＰ１送信部１１４及びＢＷＰ２送信部１１７を有する。これらの処理部は、基地局装置１００の送信側の処理部である。
【００１７】
なお、図１においては、アンライセンスバンドの送受信に関する処理部を図示して、ライセンスバンドの送受信に関する処理部を省略したが、基地局装置１００は、ライセンスバンドの送受信に関する処理部を有していても良い。また、図１においては、アンライセンスバンドのキャリアに含まれる２つの部分帯域（Bandwidth  Part）であるＢＷＰ１及びＢＷＰ２の送受信に関する処理部を図示したが、基地局装置１００は、３つ以上の部分帯域の送受信に関する処理部を有していても良い。
【００１８】
ＢＷＰ１受信部１０１は、アンライセンスバンドのキャリア内に設けられる１つの部分帯域であるＢＷＰ１の信号を受信する。すなわち、ＢＷＰ１受信部１０１は、免許が不要な周波数帯域のキャリアに含まれる部分帯域の信号を受信する。
【００１９】
ＣＰ除去部１０２は、ＢＷＰ１の受信信号からＯＦＤＭ（Orthogonal  Frequency  Division  Multiplexing：直交周波数分割多重）シンボル間に付加されたＣＰを除去する。すなわち、ＯＦＤＭ方式の無線通信が行われる場合には、無線信号を構成するＯＦＤＭシンボル間にシンボル間干渉を防止するためのＣＰが付加されるため、ＣＰ除去部１０２は、このＣＰをＢＷＰ１の受信信号から除去する。なお、本実施の形態においては、ＯＦＤＭ方式の無線通信が行われる場合について説明するが、本発明は、ＯＦＤＭ方式以外の無線通信が行われる場合にも適用可能である。したがって、ＯＦＤＭ方式以外の無線通信が行われる場合には、ＣＰ除去部１０２は省略可能である。
【００２０】
ＦＦＴ部１０３は、ＢＷＰ１の受信信号を高速フーリエ変換し、互いに直交する周波数を有する複数のサブキャリアの信号を取得する。すなわち、ＦＦＴ部１０３は、時間領域の受信信号を周波数領域の信号へ変換することにより、複数のサブキャリアの信号を取得する。なお、ＦＦＴ部１０３も上記のＣＰ除去部１０２と同様に、ＯＦＤＭ方式の無線通信が行われる場合の処理を実行する処理部であるため、ＯＦＤＭ方式以外の無線通信が行われる場合には省略可能である。
【００２１】
ＢＷＰ２受信部１０４は、アンライセンスバンドのキャリア内に設けられる１つの部分帯域であるＢＷＰ２の信号を受信する。すなわち、ＢＷＰ２受信部１０４は、免許が不要な周波数帯域のキャリアに含まれる部分帯域の信号を受信する。
【００２２】
なお、ＢＷＰ２は、ＢＷＰ１とは異なる周波数の部分帯域であり、ＢＷＰ１よりも広帯域の部分帯域であるものとする。すなわち、例えば図２に示すように、アンライセンスバンドの１つのキャリア（アンライセンスキャリア）にＢＷＰ１及びＢＷＰ２が設けられており、ＢＷＰ１の帯域幅よりもＢＷＰ２の帯域幅の方が広い。さらに、ＢＷＰ１とＢＷＰ２では、サブキャリア間隔及びシンボル長が異なり、ＢＷＰ１のサブキャリア間隔よりもＢＷＰ２のサブキャリア間隔が大きいものとする。そして、サブキャリア間隔とシンボル長は反比例するため、ＢＷＰ１のシンボル長よりもＢＷＰ２のシンボル長が小さい。
【００２３】
ＣＰ除去部１０５は、ＢＷＰ２の受信信号からＯＦＤＭシンボル間に付加されたＣＰを除去する。
【００２４】
ＦＦＴ部１０６は、ＢＷＰ２の受信信号を高速フーリエ変換し、互いに直交する周波数を有する複数のサブキャリアの信号を取得する。すなわち、ＦＦＴ部１０６は、時間領域の受信信号を周波数領域の信号へ変換することにより、複数のサブキャリアの信号を取得する。なお、ＣＰ除去部１０５及びＦＦＴ部１０６も上記のＣＰ除去部１０２及びＦＦＴ部１０３と同様に、ＯＦＤＭ方式の無線通信が行われる場合の処理を実行する処理部であるため、ＯＦＤＭ方式以外の無線通信が行われる場合には省略可能である。
【００２５】
復号部１０７は、ＢＷＰ１及びＢＷＰ２の受信信号を復号して、復号データを取得する。
【００２６】
ＬＢＴ処理部１０８は、ＢＷＰ１及びＢＷＰ２それぞれにおける受信エネルギー検出し、ＢＷＰ１及びＢＷＰ２がそれぞれビジーであるかアイドルであるかを判断する。すなわち、ＬＢＴ処理部１０８は、部分帯域ごとに個別の周期でキャリアセンスなどのＬＢＴ処理を実行する。具体的には、ＬＢＴ処理部１０８は、ＢＷＰ１における受信エネルギーが所定の閾値以上である場合には、ＢＷＰ１が他の装置によって使用中でありビジーであると判断する。同様に、ＬＢＴ処理部１０８は、ＢＷＰ２における受信エネルギーが所定の閾値以上である場合には、ＢＷＰ２が他の装置によって使用中でありビジーであると判断する。一方、ＬＢＴ処理部１０８は、ＢＷＰ１における受信エネルギーが所定の閾値未満である場合には、ＢＷＰ１が空いておりアイドルであると判断し、ＢＷＰ２における受信エネルギーが所定の閾値未満である場合には、ＢＷＰ２が空いておりアイドルであると判断する。
【００２７】
ＢＷＰスケジューリング部１０９は、ＬＢＴ処理部１０８におけるＬＢＴ処理の結果に基づいて、ＢＷＰ１及びＢＷＰ２のスケジューリングを実行する。具体的には、ＢＷＰスケジューリング部１０９は、ＢＷＰごとのＬＢＴ処理によってＢＷＰ１がアイドルであると判断された場合には、ＢＷＰ１によって送信するデータを決定する。また、ＢＷＰスケジューリング部１０９は、ＢＷＰ２がアイドルであると判断された場合には、ＢＷＰ２によって送信するデータを決定する。したがって、ＢＷＰスケジューリング部１０９は、ＢＷＰ１及びＢＷＰ２がいずれもアイドルであると判断された場合には、２つのＢＷＰを同時に用いてデータを送信することを決定する。ＢＷＰスケジューリング部１０９は、スケジューリングの結果を制御チャネル生成部１１０及び多重部１１１へ通知する。
【００２８】
制御チャネル生成部１１０は、ＢＷＰスケジューリング部１０９のスケジューリング結果に従って、各ＢＷＰに割り当てられるデータを特定する制御情報を生成する。すなわち、制御チャネル生成部１１０は、例えばＢＷＰ１がアイドルである場合には、ＢＷＰ１に含まれる各リソースブロックにどの端末装置宛てのデータが割り当てられるかを示す制御情報を生成する。また、制御チャネル生成部１１０は、例えばＢＷＰ２がアイドルである場合には、ＢＷＰ２に含まれる各リソースブロックにどの端末装置宛てのデータが割り当てられるかを示す制御情報を生成する。
【００２９】
多重部１１１は、ＢＷＰスケジューリング部１０９のスケジューリング結果に従って、ＢＷＰ１及びＢＷＰ２に制御情報及びデータを時間多重及び周波数多重する。具体的には、多重部１１１は、例えばＢＷＰ１のみがアイドルである場合には、ＢＷＰ１に制御情報及びデータをチャネル多重する。また、多重部１１１は、例えばＢＷＰ２のみがアイドルである場合には、ＢＷＰ２に制御情報及びデータをチャネル多重する。さらに、多重部１１１は、例えばＢＷＰ１及びＢＷＰ２の双方がアイドルである場合には、データをＢＷＰ１及びＢＷＰ２それぞれにチャネル多重し、ＢＷＰ１及びＢＷＰ２双方の制御情報をＬＢＴ処理の周期が最も短いＢＷＰにチャネル多重する。すなわち、ＢＷＰ１及びＢＷＰ２の双方にデータがチャネル多重される場合には、多重部１１１は、２つのＢＷＰに関する制御情報をいずれか一方のＢＷＰにチャネル多重する。なお、３つ以上のＢＷＰにそれぞれデータがチャネル多重される場合にも、多重部１１１は、ＬＢＴ処理の周期が最も短いＢＷＰにすべてのＢＷＰに関する制御情報をチャネル多重する。
【００３０】
ＩＦＦＴ部１１２は、多重部１１１によってＢＷＰ１にデータがチャネル多重された場合に、ＢＷＰ１に含まれるサブキャリアごとのデータを逆高速フーリエ変換し、時間領域のＯＦＤＭシンボルを取得する。すなわち、ＩＦＦＴ部１１２は、各サブキャリアに割り当てられた周波数領域のデータを時間領域の信号へ変換することにより、ＯＦＤＭシンボルを取得する。
【００３１】
ＣＰ付加部１１３は、ＢＷＰ１のＯＦＤＭシンボル間にＣＰを付加し、ＢＷＰ１の送信信号を生成する。なお、ＩＦＦＴ部１１２及びＣＰ付加部１１３は、上記のＣＰ除去部１０２、１０５及びＦＦＴ部１０３、１０６と同様に、ＯＦＤＭ方式の無線通信が行われる場合の処理を実行する処理部であるため、ＯＦＤＭ方式以外の無線通信が行われる場合には省略可能である。
【００３２】
ＢＷＰ１送信部１１４は、ＢＷＰ１の送信信号を送信する。すなわち、ＢＷＰ１送信部１１４は、アンライセンスキャリアのうちＢＷＰ１の周波数帯域の送信信号を送信する。
【００３３】
ＩＦＦＴ部１１５は、多重部１１１によってＢＷＰ２にデータがチャネル多重された場合に、ＢＷＰ２に含まれるサブキャリアごとのデータを逆高速フーリエ変換し、時間領域のＯＦＤＭシンボルを取得する。すなわち、ＩＦＦＴ部１１５は、各サブキャリアに割り当てられた周波数領域のデータを時間領域の信号へ変換することにより、ＯＦＤＭシンボルを取得する。
【００３４】
ＣＰ付加部１１６は、ＢＷＰ２のＯＦＤＭシンボル間にＣＰを付加し、ＢＷＰ２の送信信号を生成する。なお、ＩＦＦＴ部１１５及びＣＰ付加部１１６も上記のＩＦＦＴ部１１２及びＣＰ付加部１１３と同様に、ＯＦＤＭ方式の無線通信が行われる場合の処理を実行する処理部であるため、ＯＦＤＭ方式以外の無線通信が行われる場合には省略可能である。
【００３５】
ＢＷＰ２送信部１１７は、ＢＷＰ２の送信信号を送信する。すなわち、ＢＷＰ２送信部１１７は、アンライセンスキャリアのうちＢＷＰ２の周波数帯域の送信信号を送信する。
【００３６】
次いで、上記のように構成された基地局装置１００による送信方法について、図３に示すフロー図を参照しながら説明する。
【００３７】
基地局装置１００において送信すべきデータが発生した場合には、ＬＢＴ処理部１０８によってＢＷＰごとのＬＢＴ処理が実行される（ステップＳ１０１）。具体的には、それぞれのＢＷＰに対応する周期でＢＷＰ１及びＢＷＰ２それぞれにおける受信エネルギーが検出され、ＢＷＰ１及びＢＷＰ２がそれぞれビジーであるかアイドルであるか判断される。ここで、ＬＢＴ処理の周期は、例えばシンボル長が小さいＢＷＰ２の方が短いものとする。このため、ＬＢＴ処理部１０８によって、ＢＷＰ１についてのＬＢＴ処理よりもＢＷＰ２についてのＬＢＴ処理の方が頻繁に実行される。
【００３８】
ＬＢＴ処理部１０８によるＬＢＴ処理が実行されると、ＢＷＰスケジューリング部１０９によって、ＢＷＰ１がアイドルであるか否かが判定される（ステップＳ１０２）。この判定の結果、ＢＷＰ１がビジーであるかＢＷＰ１についてのＬＢＴ処理が未実行である場合には（ステップＳ１０２Ｎｏ）、ＢＷＰ２がアイドルであるか否かが判定される（ステップＳ１０４）。そして、ＢＷＰ２がビジーである場合には（ステップＳ１０４Ｎｏ）、ＢＷＰ１及びＢＷＰ２のいずれにおいてもデータの送信が困難であるため、次の周期において再度ＬＢＴ処理が実行される。
【００３９】
一方、ＢＷＰ１がビジーであるかＢＷＰ１についてのＬＢＴ処理が未実行であってもＢＷＰ２がアイドルである場合には（ステップＳ１０４Ｙｅｓ）、ＢＷＰスケジューリング部１０９によって、ＢＷＰ２についてのスケジューリングが実行される（ステップＳ１０７）。すなわち、ＢＷＰ２に含まれるリソースブロックへのデータの割り当てが決定される。このスケジューリングの結果に従って、多重部１１１によって、ＢＷＰ２にデータが割り当てられる。
【００４０】
ステップＳ１０２の判定の結果、ＢＷＰ１がアイドルである場合には（ステップＳ１０２Ｙｅｓ）、引き続きＢＷＰスケジューリング部１０９によって、ＢＷＰ２がアイドルであるか否かが判定される（ステップＳ１０３）。そして、ＢＷＰ２がビジーであるかＢＷＰ２についてのＬＢＴ処理が未実行である場合には（ステップＳ１０３Ｎｏ）、ＢＷＰ１のみがアイドルであるため、ＢＷＰ１についてのスケジューリングが実行される（ステップＳ１０５）。すなわち、ＢＷＰ１に含まれるリソースブロックへのデータの割り当てが決定される。このスケジューリングの結果に従って、多重部１１１によって、ＢＷＰ１にデータが割り当てられる。
【００４１】
これに対して、ＢＷＰ１及びＢＷＰ２がいずれもアイドルである場合には（ステップＳ１０３Ｙｅｓ）、ＢＷＰスケジューリング部１０９によって、ＢＷＰ１及びＢＷＰ２の双方についてのスケジューリングが実行される（ステップＳ１０６）。すなわち、ＢＷＰ１及びＢＷＰ２に含まれるリソースブロックへのデータの割り当てが決定される。このスケジューリングの結果に従って、多重部１１１によって、ＢＷＰ１及びＢＷＰ２にデータが割り当てられる。
【００４２】
このように、ＢＷＰ１及びＢＷＰ２のいずれか一方のみがアイドルである場合には、アイドルであるＢＷＰのみにデータが割り当てられ、ＢＷＰ１及びＢＷＰ２の双方がアイドルである場合には、双方のＢＷＰにデータが割り当てられる。これにより、空いているＢＷＰを効率的に利用することができ、データのスループットを向上することができる。
【００４３】
ＢＷＰ１のみがアイドルでＢＷＰ１のスケジューリングが実行された場合には、スケジューリング結果に従って、ＢＷＰ１におけるデータの割り当てを示す制御情報が制御チャネル生成部１１０によって生成される。そして、制御情報は、多重部１１１によって、ＢＷＰ１にマッピングされる（ステップＳ１０８）。
【００４４】
これに対して、ＢＷＰ１及びＢＷＰ２双方がアイドルでＢＷＰ１及びＢＷＰ２のスケジューリングが実行された場合には、制御チャネル生成部１１０によってＢＷＰ１及びＢＷＰ２におけるデータの割り当てを示す制御情報が生成され、多重部１１１によって制御情報がＢＷＰ２にマッピングされる（ステップＳ１０９）。すなわち、ＢＷＰ１及びＢＷＰ２の双方に関する制御情報がＢＷＰ２にマッピングされる。これは、ＢＷＰ２のＬＢＴ処理の周期が最も短いため、ＢＷＰ２の送信開始タイミングが最短周期で到来し、ＢＷＰ１の送信開始タイミングには常にＢＷＰ２の送信開始タイミングが重なるためである。ＢＷＰ１及びＢＷＰ２の制御情報がＢＷＰ２にマッピングされることにより、基地局装置１００から送信されるデータを受信する端末装置は、ＢＷＰ２のみの制御チャネルを復号することにより、ＢＷＰ１及びＢＷＰ２の双方に関する制御情報を取得することができる。結果として、端末装置の消費電力を低減することが可能となる。
【００４５】
また、ＢＷＰ２のみがアイドルでＢＷＰ２のスケジューリングが実行された場合には、スケジューリング結果に従って、ＢＷＰ２におけるデータの割り当てを示す制御情報が制御チャネル生成部１１０によって生成される。そして、制御情報は、多重部１１１によって、ＢＷＰ２にマッピングされる（ステップＳ１０９）。
【００４６】
このようにしてアイドルのＢＷＰにデータ及び制御情報がマッピングされたＢＷＰごとの送信信号が生成されると、送信信号は、ＩＦＦＴ部１１２、１１５及びＣＰ付加部１１３、１１６を経由して、ＢＷＰ１送信部１１４及びＢＷＰ２送信部１１７から送信される（ステップＳ１１０）。すなわち、ＢＷＰ１の送信信号はＢＷＰ１送信部１１４から送信され、ＢＷＰ２の送信信号はＢＷＰ２送信部１１７から送信される。ＢＷＰ１及びＢＷＰ２の双方がアイドルの場合には、ＢＷＰ２送信部１１７から送信される送信信号にＢＷＰ１及びＢＷＰ２の双方の制御情報が含まれる。
【００４７】
次に、ＢＷＰ１及びＢＷＰ２を利用するデータの送信について、具体的な例を挙げて説明する。
【００４８】
図４は、ＬＢＴ処理の結果、ＢＷＰ１のみがアイドルの場合のＢＷＰの利用状況を示す図である。図４に示すように、ＬＢＴ処理部１０８は、ＢＷＰ１及びＢＷＰ２それぞれにおいて斜線で示すタイミングにおいてＬＢＴ処理を実行する。ここで、ＢＷＰ１のＬＢＴ処理の周期よりもＢＷＰ２のＬＢＴ処理の周期の方が短い。また、ＢＷＰ２の方がＢＷＰ１よりも広帯域であり、ＢＷＰ２のサブキャリア間隔の方がＢＷＰ１のサブキャリア間隔よりも大きい。換言すれば、ＢＷＰ２のシンボル長の方がＢＷＰ１のシンボル長よりも小さい。
【００４９】
ＬＢＴ処理の結果、ＢＷＰ１及びＢＷＰ２がいずれもビジーである場合には、いずれのＢＷＰにおいてもデータは送信されない。そして、タイミング１５０のＬＢＴ処理において、ＢＷＰ１のみがアイドルであると判断されると、ＢＷＰ１がデータの送信に利用される。すなわち、ＢＷＰ１において、制御情報１５１及びデータ１５２が送信される。制御情報１５１には、データ１５２の割り当てを示す情報が含まれる。
【００５０】
図５は、ＬＢＴ処理の結果、ＢＷＰ１及びＢＷＰ２の双方がアイドルの場合のＢＷＰの利用状況を示す図である。図５に示すように、ＬＢＴ処理部１０８は、ＢＷＰ１及びＢＷＰ２それぞれにおいて斜線で示すタイミングにおいてＬＢＴ処理を実行する。図４の例と同様に、図５においてもＢＷＰ１のＬＢＴ処理の周期よりもＢＷＰ２のＬＢＴ処理の周期の方が短い。
【００５１】
ＬＢＴ処理の結果、ＢＷＰ１及びＢＷＰ２がいずれもビジーである場合には、いずれのＢＷＰにおいてもデータは送信されない。そして、タイミング１６０のＬＢＴ処理において、ＢＷＰ１及びＢＷＰ２の双方がアイドルであると判断されると、ＢＷＰ１及びＢＷＰ２がデータの送信に利用される。すなわち、ＢＷＰ１において、データ１６１が送信され、ＢＷＰ２において、制御情報１６２及びデータ１６３が送信される。
【００５２】
ＢＷＰ２を利用して送信される制御情報１６２は、ＢＷＰ１のデータ１６１の割り当てを示す情報とＢＷＰ２のデータ１６３の割り当てを示す情報とを含む。すなわち、ＬＢＴ処理の周期が最短のＢＷＰ２の制御情報１６２には、同時に送信に利用されるすべてのＢＷＰに関する制御情報が含まれる。これにより、ＢＷＰ１及びＢＷＰ２のデータを受信する端末装置は、ＢＷＰ２の制御情報を復号することにより、ＢＷＰ１及びＢＷＰ２のデータの割り当てを把握し、正しく自装置宛てのデータを復号することができる。
【００５３】
図６は、ＬＢＴ処理の結果、ＢＷＰ２のみがアイドルの場合のＢＷＰの利用状況を示す図である。図６に示すように、ＬＢＴ処理部１０８は、ＢＷＰ１及びＢＷＰ２それぞれにおいて斜線で示すタイミングにおいてＬＢＴ処理を実行する。ここで、ＢＷＰ１のＬＢＴ処理の周期よりもＢＷＰ２のＬＢＴ処理の周期の方が短い。
【００５４】
ＬＢＴ処理の結果、ＢＷＰ１及びＢＷＰ２がいずれもビジーである場合には、いずれのＢＷＰにおいてもデータは送信されない。そして、タイミング１７０のＬＢＴ処理において、ＢＷＰ２のみがアイドルであると判断されると、ＢＷＰ２がデータの送信に利用される。すなわち、ＢＷＰ２において、制御情報１７１及びデータ１７２が送信される。制御情報１７１には、データ１７２の割り当てを示す情報が含まれる。
【００５５】
次に、ＢＷＰ１及びＢＷＰ２のデータを受信する端末装置の構成について説明する。図７は、実施の形態１に係る端末装置２００の構成を示すブロック図である。図７に示す端末装置２００は、ＢＷＰ１受信部２０１、２０４、ＣＰ除去部２０２、２０５、ＦＦＴ部２０３、２０６、制御チャネル復号部２０７及び復号部２０８を有する。
【００５６】
ＢＷＰ１受信部２０１は、ＢＷＰ１の信号を受信する。すなわち、ＢＷＰ１受信部２０１は、アンライセンスキャリアのうちＢＷＰ１の周波数帯域の信号を受信する。
【００５７】
ＣＰ除去部２０２は、ＢＷＰ１の受信信号からＯＦＤＭシンボル間に付加されたＣＰを除去する。
【００５８】
ＦＦＴ部２０３は、ＢＷＰ１の受信信号を高速フーリエ変換し、互いに直交する周波数を有する複数のサブキャリアの信号を取得する。すなわち、ＦＦＴ部２０３は、時間領域の受信信号を周波数領域の信号へ変換することにより、複数のサブキャリアの信号を取得する。
【００５９】
ＢＷＰ２受信部２０４は、ＢＷＰ２の信号を受信する。すなわち、ＢＷＰ２受信部２０４は、アンライセンスキャリアのうちＢＷＰ２の周波数帯域の信号を受信する。
【００６０】
ＣＰ除去部２０５は、ＢＷＰ２の受信信号からＯＦＤＭシンボル間に付加されたＣＰを除去する。
【００６１】
ＦＦＴ部２０６は、ＢＷＰ２の受信信号を高速フーリエ変換し、互いに直交する周波数を有する複数のサブキャリアの信号を取得する。すなわち、ＦＦＴ部２０６は、時間領域の受信信号を周波数領域の信号へ変換することにより、複数のサブキャリアの信号を取得する。
【００６２】
なお、ＣＰ除去部２０２、２０５及びＦＦＴ部２０３、２０６も上記のＣＰ除去部１０２、１０５及びＦＦＴ部１０３、１０６と同様に、ＯＦＤＭ方式の無線通信が行われる場合の処理を実行する処理部であるため、ＯＦＤＭ方式以外の無線通信が行われる場合には省略可能である。
【００６３】
制御チャネル復号部２０７は、アンライセンスキャリア内のＢＷＰの周波数帯域などの情報を含むＢＷＰ情報を参照し、ＢＷＰ１及びＢＷＰ２の制御チャネルを復号する。このとき、制御チャネル復号部２０７は、ＬＢＴ処理の周期が最も短いＢＷＰ２の制御チャネルを最初に復号する。そして、制御チャネル復号部２０７は、ＢＷＰ２の制御チャネルの復号が失敗した場合に、ＢＷＰ１の制御チャネルを復号する。すなわち、制御チャネル復号部２０７は、複数のＢＷＰのうちＬＢＴ処理の周期が最短のＢＷＰの制御チャネルを最初に復号する。ＢＷＰ１及びＢＷＰ２の双方によってデータが送信される場合には、ＢＷＰ２を利用して２つのＢＷＰの制御情報が送信されるため、ＢＷＰ２の制御チャネルを最初に復号することにより、２つのＢＷＰの制御情報が取得可能である。この結果、制御チャネルの復号によって消費される消費電力を低減することができる。
【００６４】
復号部２０８は、制御チャネル復号部２０７によって得られる制御チャネルの復号結果に基づいて、ＢＷＰ１及びＢＷＰ２のデータを復号する。すなわち、制御チャネル復号部２０７によってＢＷＰ１の制御情報が得られた場合には、復号部２０８は、ＢＷＰ１のデータを復号する。また、制御チャネル復号部２０７によってＢＷＰ２の制御情報が得られた場合には、復号部２０８は、ＢＷＰ２のデータを復号する。なお、ＢＷＰ２の制御チャネルからＢＷＰ１及びＢＷＰ２の双方の制御情報が得られた場合には、復号部２０８は、ＢＷＰ１及びＢＷＰ２の双方のデータを復号する。
【００６５】
このように、端末装置２００は、ＢＷＰ情報に基づいて、ＬＢＴ処理の周期が最短のＢＷＰ２の制御チャネルをモニタリングして、この制御チャネルの復号を最初に試みる。そして、制御チャネルの復号が失敗した場合に、ＢＷＰ１の制御チャネルの復号を試みる。このため、制御チャネルの復号に消費される消費電力を低減しつつ、ＢＷＰ１及びＢＷＰ２それぞれのデータを正しく復号することができる。
【００６６】
以上のように、本実施の形態によれば、基地局装置は、ＢＷＰごとに個別のＬＢＴ処理を実行し、アイドルのＢＷＰを用いてデータを送信する。このとき、複数のＢＷＰがアイドルである場合には、複数のＢＷＰを用いてデータを送信し、ＬＢＴ処理の周期が最も短い１つのＢＷＰを用いて各ＢＷＰの制御情報をまとめて送信する。また、端末装置は、ＬＢＴ処理の周期が最も短い１つのＢＷＰの制御チャネルをモニタリングし、このＢＷＰの制御チャネルの復号が失敗した場合に他のＢＷＰの制御チャネルを復号する。このため、ＬＢＴ処理の結果空いていると判断されたＢＷＰを用いて効率的にデータを送信することができる。換言すれば、アンライセンスバンドの広帯域なキャリアを効率的に利用することができる。また、端末装置は、制御チャネルの復号に消費される消費電力を低減することができる。
【００６７】
なお、上記実施の形態１においては、ＢＷＰ２のＬＢＴ処理の周期が最も短いものとして説明したが、各ＢＷＰのＬＢＴ処理の周期が同一である場合には、任意に選択された１つのＢＷＰを用いてすべてのＢＷＰに関する制御情報が送信されれば良い。
【００６８】
図８は、ＬＢＴ処理の周期が等しいＢＷＰの利用状況を示す図である。図８に示すように、ＢＷＰ１及びＢＷＰ２それぞれにおいて斜線で示すタイミングにおいてＬＢＴ処理が実行される。ここで、ＢＷＰ１のＬＢＴ処理の周期とＢＷＰ２のＬＢＴ処理の周期とは同一である。
【００６９】
ＬＢＴ処理の結果、ＢＷＰ１及びＢＷＰ２がいずれもビジーである場合には、いずれのＢＷＰにおいてもデータは送信されない。そして、タイミング１８０のＬＢＴ処理において、ＢＷＰ１及びＢＷＰ２の双方がアイドルであると判断されると、ＢＷＰ１及びＢＷＰ２がデータの送信に利用される。すなわち、ＢＷＰ１において、データ１８１が送信され、ＢＷＰ２において、制御情報１８２及びデータ１８３が送信される。
【００７０】
ここでは、ＢＷＰ１及びＢＷＰ２のうちＢＷＰ２を利用してＢＷＰ１のデータ１８１の割り当てを示す情報とＢＷＰ２のデータ１８３の割り当てを示す情報とが送信される。しかし、ＢＷＰ１及びＢＷＰ２のＬＢＴ処理の周期は同一であるため、２つのＢＷＰに関する制御情報は、ＢＷＰ１を利用して送信されても良い。
【００７１】
（実施の形態２）
実施の形態２の特徴は、１つの端末装置に対して同時にデータの送信に利用されるＢＷＰを１つのＢＷＰとし、必要に応じてＢＷＰを切り替える点である。
【００７２】
図９は、実施の形態２に係る基地局装置１００の構成を示すブロック図である。図９において図１と同じ部分には同じ符号を付し、その説明を省略する。図９に示す基地局装置１００は、図１に示す基地局装置１００のＢＷＰスケジューリング部１０９及び制御チャネル生成部１１０に代えて、ＢＷＰスケジューリング部３０１及び制御チャネル生成部３０２を有する。
【００７３】
ＢＷＰスケジューリング部３０１は、ＬＢＴ処理部１０８におけるＬＢＴ処理の結果に基づいて、ＢＷＰ１及びＢＷＰ２のいずれか一方のスケジューリングを実行する。具体的には、ＢＷＰスケジューリング部３０１は、ＢＷＰ１及びＢＷＰ２のどちらを利用してデータを送信するか決定し、決定したＢＷＰがアイドルであると判断された場合には、このＢＷＰによって送信するデータを決定する。このとき、ＢＷＰスケジューリング部３０１は、送信されるデータのデータ量やＢＷＰ１及びＢＷＰ２の帯域幅などに基づいて、データの送信に利用するＢＷＰを決定する。
【００７４】
また、ＢＷＰスケジューリング部３０１は、データの送信に利用するＢＷＰを切り替える。すなわち、ＢＷＰスケジューリング部３０１は、例えばＢＷＰ１を利用してデータが送信されている場合、必要に応じてＢＷＰ２に切り替えることを決定し、切り替え後にはＢＷＰ２によって送信するデータを決定する。ＢＷＰスケジューリング部３０１は、送信されるデータのデータ量、ＢＷＰ１及びＢＷＰ２のリソースの使用状況及び消費電力などに基づいて、ＢＷＰの切り替えの有無を決定する。
【００７５】
なお、ＢＷＰスケジューリング部３０１が１つのＢＷＰを利用してデータを送信することを決定するため、本実施の形態においては、ＬＢＴ処理部１０８は、ＢＷＰスケジューリング部３０１が決定したＢＷＰのみについてＬＢＴ処理を実行しても良い。これにより、ＬＢＴ処理による処理負荷及び消費電力を低減することができる。
【００７６】
制御チャネル生成部３０２は、ＢＷＰスケジューリング部１０９のスケジューリング結果に従って、ＢＷＰ１又はＢＷＰ２に割り当てられるデータを特定する制御情報を生成する。すなわち、制御チャネル生成部３０２は、例えばＢＷＰ１のスケジューリングが実行された場合には、ＢＷＰ１に含まれる各リソースブロックにどの端末装置宛てのデータが割り当てられるかを示す制御情報を生成する。また、制御チャネル生成部３０２は、例えばＢＷＰ２のスケジューリングが実行された場合には、ＢＷＰ２に含まれる各リソースブロックにどの端末装置宛てのデータが割り当てられるかを示す制御情報を生成する。さらに、制御チャネル生成部３０２は、データの送信に利用するＢＷＰが切り替えられる場合、切り替え先のＢＷＰを特定する切替情報を生成する。すなわち、制御チャネル生成部３０２は、例えばデータの送信に利用されるＢＷＰがＢＷＰ１からＢＷＰ２に切り替えられる場合、データの送信に利用されるＢＷＰがＢＷＰ２へ切り替えられることを示す切替情報を生成する。この切替情報は、切り替え前にデータの送信に利用されているＢＷＰ１の制御チャネルによって送信される。
【００７７】
次に、ＢＷＰ１及びＢＷＰ２を切り替えて利用するデータの送信について、具体的な例を挙げて説明する。
【００７８】
図１０は、データの送信に利用されるＢＷＰをＢＷＰ１からＢＷＰ２へ切り替える場合のＢＷＰの利用状況を示す図である。図１０に示すように、ＢＷＰスケジューリング部３０１がＢＷＰ１を用いてデータを送信すると決定した場合には、ＬＢＴ処理部１０８は、斜線で示すタイミングにおいてＢＷＰ１のＬＢＴ処理を実行する。
【００７９】
ＬＢＴ処理の結果、ＢＷＰ１がビジーである場合には、ＢＷＰ１においてデータは送信されない。そして、ＢＷＰ１がアイドルであると判断されると、ＢＷＰ１において、制御情報４０１及びデータ４０２が送信される。この時点で、データの送信に利用されるＢＷＰをＢＷＰ１からＢＷＰ２へ切り替えることがＢＷＰスケジューリング部３０１によって決定されていると、制御情報４０１にはＢＷＰ１からＢＷＰ２へ切り替えてデータを送信することを示す切替情報が含まれる。
【００８０】
このように切替情報が送信されるため、ＢＷＰ１のデータを受信する端末装置は、受信対象のＢＷＰをＢＷＰ１からＢＷＰ２へ切り替えることができる。すなわち、ＢＷＰ１を利用してデータが送信されることが通知されている端末装置は、ＢＷＰ１の信号を受信して復号するが、このＢＷＰ１の受信信号に切替情報が含まれている場合には、ＢＷＰ２の信号を受信するように受信対象のＢＷＰを切り替える。これにより、複数のＢＷＰを同時に受信対象としなくて済むため、端末装置の消費電力を低減しつつ、データの送信に利用されるＢＷＰを受信対象とすることができる。
【００８１】
切替情報が含まれる制御情報４０１が送信された後、ＬＢＴ処理部１０８は、斜線で示すタイミングにおいて切り替え後のＢＷＰ２のＬＢＴ処理を実行する。ＬＢＴ処理の結果、ＢＷＰ２がビジーである場合には、ＢＷＰ２においてデータは送信されない。そして、ＢＷＰ２がアイドルであると判断されると、ＢＷＰ２において、制御情報４０３及びデータ４０４が送信される。ＢＷＰ２を利用して送信される制御情報４０３及びデータ４０４は、あらかじめ切替情報に従って受信対象のＢＷＰをＢＷＰ２に切り替えている端末装置によって受信される。
【００８２】
以上のように、本実施の形態によれば、基地局装置は、データの送信に利用されるＢＷＰを決定し、決定したＢＷＰのＬＢＴ処理を実行し、ＢＷＰがアイドルであればデータを送信する。また、基地局装置は、必要に応じてデータの送信に利用されるＢＷＰを切り替えることを決定し、ＢＷＰの切り替え前に切替情報を送信する。端末装置は、データの送信に利用されるＢＷＰを受信対象とし、切替情報が受信された場合には、受信対象のＢＷＰを切り替える。このため、データ量や消費電力などの条件に応じてＢＷＰを切り替えながらデータを送信することができる。換言すれば、アンライセンスバンドの広帯域なキャリアを効率的に利用することができる。
【００８３】
なお、上記実施の形態２で説明したＢＷＰの切り替えは、例えばデータの再送時に適用することも可能である。すなわち、データの再送が要求された場合には、初回送信時とは異なるＢＷＰを利用してデータが再送されるようにしても良い。
【００８４】
図１１は、データの再送時にＢＷＰをＢＷＰ１からＢＷＰ２へ切り替える場合のＢＷＰの利用状況を示す図である。図１１に示すように、ＢＷＰスケジューリング部３０１がＢＷＰ１を用いてデータを送信すると決定した場合には、ＬＢＴ処理部１０８は、斜線で示すタイミングにおいてＢＷＰ１のＬＢＴ処理を実行する。
【００８５】
ＬＢＴ処理の結果、ＢＷＰ１がビジーである場合には、ＢＷＰ１においてデータは送信されない。そして、ＢＷＰ１がアイドルであると判断されると、ＢＷＰ１において、制御情報４１１及びデータ４１２が送信される。その後、端末装置がデータ４１２を正しく復号できない場合には、ＢＷＰ１において、データの再送を要求するＮＡＣＫが端末装置から基地局装置１００へ送信される。
【００８６】
基地局装置１００は、ＮＡＣＫを受信すると、引き続きＢＷＰ１において、ＢＷＰ２を利用してデータを再送することを示す制御情報４１３を送信する。この制御情報４１３には、ＢＷＰ２において再送されるデータの割り当てを示す情報が含まれていても良い。
【００８７】
制御情報４１３が送信された後、ＬＢＴ処理部１０８は、斜線で示すタイミングにおいてＢＷＰ２のＬＢＴ処理を実行する。ＬＢＴ処理の結果、ＢＷＰ２がアイドルであると判断されると、ＢＷＰ２において、制御情報４１４及びデータ４１５が送信される。ＢＷＰ２を利用して送信される制御情報４１４及びデータ４１５は、あらかじめ制御情報４１３に従って受信対象のＢＷＰをＢＷＰ２に切り替えている端末装置によって受信される。なお、ＢＷＰ２において再送されるデータの割り当てを示す情報は、制御情報４１４に含まれていても良い。
【００８８】
このように、再送されるデータを初回送信時とは異なるＢＷＰを利用して送信することで、データの再送におけるダイバーシティゲインを得ることができる。
【００８９】
なお、上記各実施の形態における基地局装置１００及び端末装置２００の構成は一例に過ぎず、基地局装置及び端末装置は、必ずしも図１、７、９のように構成されなくても良い。具体的には、例えば、図１、９の基地局装置１００のＢＷＰ１受信部１０１、ＢＷＰ２受信部１０４、ＢＷＰ１送信部１１４及びＢＷＰ２送信部１１７が１つ又は複数の無線部として構成されても良い。また、図１、９の基地局装置１００のその他の処理部が１つ又は複数のプロセッサとして構成されても良い。同様に、図７の端末装置２００のＢＷＰ１受信部２０１及びＢＷＰ２受信部２０４が１つ又は複数の無線部として構成されても良く、その他の処理部が１つ又は複数のプロセッサとして構成されても良い。ここで、プロセッサとしては、例えばＣＰＵ（Central  Processing  Unit）、ＭＰＵ（Micro  Processing  Unit）、ＡＳＩＣ（Application  Specific  Integrated  Circuit）、ＦＰＧＡ（Field  Programmable  Gate  Array）又はＤＳＰ（Digital  Signal  Processor）などを用いることができる。
【符号の説明】
【００９０】
１０１、２０１  ＢＷＰ１受信部
１０２、１０５、２０２、２０５  ＣＰ除去部
１０３、１０６、２０３、２０６  ＦＦＴ部
１０４、２０４  ＢＷＰ２受信部
１０７、２０８  復号部
１０８  ＬＢＴ処理部
１０９、３０１  ＢＷＰスケジューリング部
１１０、３０２  制御チャネル生成部
１１１  多重部
１１２、１１５  ＩＦＦＴ部
１１３、１１６  ＣＰ付加部
１１４  ＢＷＰ１送信部
１１７  ＢＷＰ２送信部
２０７  制御チャネル復号部
【図１】
2019193662.tif 000003
【図２】
2019193662.tif 000004
【図３】
2019193662.tif 000005
【図４】
2019193662.tif 000006
【図５】
2019193662.tif 000007
【図６】
2019193662.tif 000008
【図７】
2019193662.tif 000009
【図８】
2019193662.tif 000010
【図９】
2019193662.tif 000011
【図１０】
2019193662.tif 000012
【図１１】
2019193662.tif 000013
【国際調査報告】
2019193662.tif 000014
2019193662.tif 000015
2019193662.tif 000016
2019193662.tif 000017